(57)【要約】【課題】メイクアップ／肌対策の支援をより適切に行うことができるメイクアップ支援装置を提供すること。【解決手段】メイクアップ／肌対策を行う対象となる人の体調に関する、体調情報を取得する体調取得部２６０と、取得された体調情報に基づいて、メイクアップの仕方であるメイク／肌対策の仕方であるスキンケアを選択するメイク／スキンケア選択部２８０と、メイクアップ／肌対策を行うユーザに対して、選択されたメイク／スキンケアを提示するメイク／スキンケア提示部２９０とを有する。【選択図】図１
2014166218.tif 000002
【特許請求の範囲】
【請求項１】
メイクアップ／肌対策を行う対象となる人の体調に関する、体調情報を取得する体調取得部と、
取得された前記体調情報に基づいて、前記メイクアップの仕方であるメイク／前記肌対策の仕方であるスキンケアを選択するメイク／スキンケア選択部と、
前記メイクアップ／前記肌対策を行うユーザに対して、選択された前記メイク／前記スキンケアを提示するメイク／スキンケア提示部と、を有する、
メイクアップ支援装置。
【請求項２】
体調情報の複数の内容のそれぞれに対応付けて、前記人が当該体調種別に該当する場合に予測される前記人の顔の状態の変化に適した前記メイク／前記スキンケアを記述した、メイク／スキンケアテーブルを格納するメイク／スキンケアテーブル格納部、を更に有し、
前記メイク／スキンケア選択部は、
前記メイク／スキンケアテーブルを参照して、取得された前記体調情報の内容に対応する前記メイク／前記スキンケアを選択する、
請求項１に記載のメイクアップ支援装置。
【請求項３】
前記人の顔を撮影した画像を取得する画像取得部と、
前記画像から、前記顔の顔部品の領域を取得する顔部品取得部と、を更に有し、
前記メイク／スキンケア選択部は、
前記顔部品毎に、前記メイクを選択し、
前記メイク／スキンケア提示部は、
前記顔部品の領域に基づいて、前記画像に、前記顔に対して前記メイクを適用したときの前記メイクの状態を示す画像を重畳して得られるシミュレーション画像を生成し、生成した前記シミュレーション画像を提示する、
請求項２に記載のメイクアップ支援装置。
【請求項４】
前記体調情報は、
睡眠時間、体温、身体活動量、瞼の開度、瞬目頻度、月経周期における時期、血圧、および肌状態のうち、少なくとも１つに関する情報である、
請求項２に記載のメイクアップ支援装置。
【請求項５】
前記体調の複数の内容は、体調の良否のレベルに対応する複数の体調レベルであり、
睡眠時間、体温、身体活動量、瞼の開度、瞬目頻度、月経周期における時期、血圧、および肌状態のうち、少なくとも１つを、センサ情報として取得するセンサ情報取得部と、
前記センサ情報の複数の内容と、前記複数の体調レベルと、の対応関係を記述した体調テーブルを格納する体調テーブル格納部と、を更に有し、
前記体調取得部は、
前記体調テーブルを参照して、取得された前記センサ情報に対応する前記体調レベルを取得する、
請求項４に記載のメイクアップ支援装置。
【請求項６】
前記顔の状態の変化は、肌の乾燥、皮脂の分泌、汗の分泌、隈、皺、皮膚のたるみ、筋肉の緩み、筋肉の緊張、血色不良、および肌荒れのうち、少なくとも１つの強度の変化を含む、
請求項２に記載のメイクアップ支援装置。
【請求項７】
前記顔の映像を撮影する撮影部と、
前記ユーザに対して前記シミュレーション画像を表示する表示部と、を更に有し、
前記画像取得部は、
前記映像を構成する画像を取得し、
前記メイク／スキンケア提示部は、
前記映像に対して一旦選択された前記メイクを維持しつつ、前記映像を構成する前記画像毎に、順次、前記シミュレーション画像を生成して前記表示部に表示させる、
請求項３に記載のメイクアップ支援装置。
【請求項８】
前記メイク／スキンケアテーブルは、取得され得る前記顔の顔特徴量と、前記メイクと、を更に対応付けており、
前記メイク／スキンケア選択部は、
前記顔の顔特徴量を取得し、前記メイク／スキンケアテーブルを参照して、取得された前記顔特徴量に対応する前記メイクを選択する、
請求項２に記載のメイクアップ支援装置。
【請求項９】
メイクアップ／肌対策を行う対象となる人の体調に関する、体調情報を取得するステップと、
取得された前記体調情報に基づいて、前記メイクアップの仕方であるメイク／前記肌対策の仕方であるスキンケアを選択するステップと、
前記メイクアップ／前記肌対策を行うユーザに対して、選択された前記メイク／前記スキンケアを提示するステップと、を有する、
メイクアップ支援方法。
【請求項１０】
コンピュータに、
メイクアップ／肌対策を行う対象となる人の体調に関する、体調情報を取得する処理と、
取得された前記体調情報に基づいて、前記メイクアップの仕方であるメイク／前記肌対策の仕方であるスキンケアを選択する処理と、
前記メイクアップ／前記肌対策を行うユーザに対して、選択された前記メイク／前記スキンケアを提示する処理と、を実行させる、
メイクアップ支援プログラム。
【発明の詳細な説明】
【技術分野】
【０００１】
本発明は、顔のメイクアップ（化粧）を支援するメイクアップ支援装置、メイクアップ支援方法、およびメイクアップ支援プログラムに関する。
【背景技術】
【０００２】
近年、顔のメイクアップの仕方（以下「メイク」という）および肌対策の仕方（以下「スキンケア）という）の多様化が進んでいる。無数の選択肢の中から適切なメイクおよび肌対策を選択することは、特にメイクおよびスキンケアについての十分な知識を有さない人にとって、困難である。あらゆるメイクやスキンケアを実際に試して判断および比較を行うことは、膨大な時間および手間を要するからである。
【０００３】
そこで、顔の特徴に合うメイクを選択し、選択されたメイクが適用されたときの顔のシミュレーション画像を生成して提示する技術が、例えば、特許文献１および特許文献２に記載されている。特許文献１および特許文献２に記載の技術は、メイクアップの対象となる顔を撮影した画像を取得し、顔の特徴を抽出し、予め定められた選択基準に基づいて、顔の特徴に合うメイクを選択する。そして、特許文献１および特許文献２に記載の技術は、取得した画像に、選択したメイクを顔に適用したときのメイクの状態を示す画像を重畳して、シミュレーション画像を生成し、表示する。
【０００４】
また、肌の状態およびスケジュールに合うスキンケアを選択して提示する技術が、例えば特許文献３に記載されている。特許文献３に記載の技術は、ユーザの現在の肌の状態および行動スケジュールに基づいて、スキンケア情報を作成し、作成したスキンケア情報を報知する。
【０００５】
これらの従来技術によれば、より少ない時間および手間で、顔の特徴に合ったメイクや、現在の肌の状態および行動スケジュールを鑑みたスキンケアを選択し、実施することが可能となる。
【先行技術文献】
【特許文献】
【０００６】
【特許文献１】特開２００１−３４６６２７号公報
【特許文献２】特開２００７−１７５３８４号公報
【特許文献３】特開２０１０−１９９７５６号公報
【特許文献４】特開２００３−４４８３７号公報
【非特許文献】
【０００７】
【非特許文献１】須田都三男、外７名、“疲れと肌に関するアンケート”、［online］、平成２４年４月、オルチニン研究会、［平成２５年２月２７日検索］、インターネット〈URL:http://ornithine.jp/information/2012/04/post-9.html〉
【発明の概要】
【発明が解決しようとする課題】
【０００８】
しかしながら、顔の状態は時間と共に変化するため、従来技術では、結果として、不適切なメイク／スキンケアが選択されるおそれがある。例えば、朝のメイク時には目の下の隈は無かったため、これを隠すためのコンシーラの塗布を特に行わないようなメイクが選択されたところ、夕方になって、疲労により目の下の隈が濃く現れるといった具合である。したがって、従来技術では、メイクアップ／肌対策の支援を適切に行うことができないおそれがある。
【０００９】
本発明の目的は、メイクアップ／肌対策の支援をより適切に行うことができる、メイクアップ支援装置、メイクアップ支援方法、およびメイクアップ支援プログラムを提供することである。
【課題を解決するための手段】
【００１０】
本発明のメイクアップ支援装置は、メイクアップ／肌対策を行う対象となる人の体調に関する、体調情報を取得する体調取得部と、取得された前記体調情報に基づいて、前記メイクアップの仕方であるメイク／前記肌対策の仕方であるスキンケアを選択するメイク／スキンケア選択部と、前記メイクアップ／前記肌対策を行うユーザに対して、選択された前記メイク／前記スキンケアを提示するメイク／スキンケア提示部と、を有する。
【００１１】
本発明のメイクアップ支援方法は、メイクアップ／肌対策を行う対象となる人の体調に関する、体調情報を取得するステップと、取得された前記体調情報に基づいて、前記メイクアップの仕方であるメイク／前記肌対策の仕方であるスキンケアを選択するステップと、前記メイクアップ／前記肌対策を行うユーザに対して、選択された前記メイク／前記スキンケアを提示するステップと、を有する。
【００１２】
本発明のメイクアップ支援プログラムは、コンピュータに、メイクアップ／肌対策を行う対象となる人の体調に関する、体調情報を取得する処理と、取得された前記体調情報に基づいて、前記メイクアップの仕方であるメイク／前記肌対策の仕方であるスキンケアを選択する処理と、前記メイクアップ／前記肌対策を行うユーザに対して、選択された前記メイク／前記スキンケアを提示する処理と、を実行させる。
【発明の効果】
【００１３】
本発明によれば、メイクアップ／肌対策の支援をより適切に行うことができる。
【図面の簡単な説明】
【００１４】
【図１】本発明の実施の形態１に係るメイクアップ支援装置の構成の一例を示すブロック図
【図２】本発明の実施の形態２に係るメイクアップ支援装置の構成の一例を示すブロック図
【図３】実施の形態２における体調テーブルの一例を示す図
【図４】実施の形態２におけるメイク／スキンケアテーブルの一例を示す図
【図５】実施の形態２におけるメイク／スキンケア情報テーブルの一例を示す図
【図６】実施の形態２における化粧品情報テーブルの一例を示す図
【図７】実施の形態２に係るメイクアップ支援装置の動作の一例を示すフローチャート
【図８】実施の形態２における画像の一例を示す図
【図９】実施の形態２における顔の特徴点の配置の一例を示す図
【図１０】実施の形態２における顔部品情報の一例を示す図
【図１１】実施の形態２におけるシミュレーション画像の一例を示す図
【図１２】実施の形態２における時間経過後の顔の状態の一例を示す図
【図１３】実施の形態２におけるシミュレーション画像の他の例を示す図
【発明を実施するための形態】
【００１５】
以下、本発明の各実施の形態について、図面を参照して詳細に説明する。
【００１６】
（実施の形態１）
本発明の実施の形態１は、本発明の基本的態様の一例である。
【００１７】
図１は、本実施の形態に係るメイクアップ支援装置の構成の一例を示すブロック図である。
【００１８】
図１において、メイクアップ支援装置１００は、体調取得部２６０、メイク／スキンケア選択部２８０、およびメイク／スキンケア提示部２９０を有する。
【００１９】
体調取得部２６０は、メイクアップ／肌対策を行う対象となる人（以下「メイク対象者」という）の体調に関する、体調情報を取得する。
【００２０】
メイク／スキンケア選択部２８０は、取得された体調情報に基づいて、メイクアップの仕方であるメイク／肌対策の仕方であるスキンケアを選択する。
【００２１】
メイク／スキンケア提示部２９０は、メイク対象者に対してメイクアップ／肌対策を行うユーザ（例えば、メイク対象者自身）に対して、選択されたメイク／スキンケアを提示する。
【００２２】
メイクアップ支援装置１００は、図示しないが、例えば、ＣＰＵ（Central Processing Unit）、制御プログラムを格納したＲＯＭ（Read Only Memory）等の記憶媒体、およびＲＡＭ（Random Access Memory）等の作業用メモリを有する。この場合、上記した各部の機能は、ＣＰＵが制御プログラムを実行することにより実現される。
【００２３】
このようなメイクアップ支援装置１００は、ユーザに対して、メイク対象者の体調を考慮して選択されたメイク／スキンケアを、提示することができる。顔の状態の変化の度合いは、特に、その人の体調に大きく影響される（例えば、非特許文献１参照）。したがって、メイク対象者の体調を考慮してメイク／スキンケアを選択することにより、時間経過後の顔の状態により適したメイク／スキンケアを提示することが可能となる。すなわち、メイクアップ支援装置１００は、時間経過後の顔の状態を考慮してメイク／スキンケアを選択することができ、メイクアップ／肌対策の支援を、より適切に行うことができる。
【００２４】
（実施の形態２）
本発明の実施の形態２は、本発明の具体的態様の一例である。本実施の形態は、本発明を、デジタルカメラおよびタッチパネル付きディスプレイを備えた装置に適用した例である。
【００２５】
＜用語の説明＞
まず、本実施の形態において用いられる用語について説明する。
【００２６】
「体調情報」とは、人の体調に関する情報であり、睡眠時間、体温、身体活動量、瞼の開度、瞬目頻度、月経周期における時期、血圧、および肌状態のうち、少なくとも１つに関する情報であるものとする。
【００２７】
「顔部品」とは、目、眉、鼻、頬（ほお）骨、唇、輪郭等、顔の印象を特徴付ける部分を指すものとする。
【００２８】
「顔部品ＩＤ」とは、顔部品の識別情報である。
【００２９】
「顔部品の領域」とは、画像上あるいは実空間上で、顔部品が占める領域を指すものとし、目尻等、顔部品の特徴点の位置を含むものとする。
【００３０】
「顔特徴量」とは、顔の特徴を示す所定のパラメータの値である。ここでは、顔の幅に対する顔の長さの比、両目の間の間隔に対する鼻の長さの比、および、顔の幅に対する目の幅の比等の、複数の値から成る多変量データであるものとする。
【００３１】
「メイク」とは、アイシャドウや口紅等の、顔部品の特徴の印象を補正して審美性の向上を図るメイクアップの仕方（種類）を示し、肌用化粧剤の色、塗布濃度、および塗布範囲を少なくとも含む。
【００３２】
「スキンケア」とは、肌の状態を整えるための行動（肌対策）の仕方（種類）を示す。かかる行動には、例えば、肌状態を改善させるために肌に施す手入れ、および、体内から肌状態を改善させる（インナービューティを向上させる）行動を含む。前者としては、例えば、化粧水や美容液等の基礎化粧品の塗布、顔のマッサージ等が挙げられる。後者としては、例えば、サプリメントの摂取、自然食品摂取、ヨガ等の運動、室内環境の調整等が挙げられる。基礎化粧品の塗布の仕方には、基礎化粧品の種類、１回当たりの塗布量、塗布範囲、塗布頻度、塗布する時間帯、塗布の仕方等が含まれる。
【００３３】
「メイク／スキンケア情報」とは、メイク／スキンケアの内容を示す情報である。
【００３４】
「化粧品情報」とは、メイク／スキンケアを適用するための肌用化粧品に関する情報である。
【００３５】
「メイク／スキンケア種別」とは、「ファンデーション」、「アイシャドウ」、「口紅」、および「チーク」等、少なくとも顔部品との位置関係により区別されるメイクの種類、および、「化粧水」、および「美容液」等のスキンケアの種類である。
【００３６】
「メイク／スキンケアＩＤ」とは、メイク／スキンケアの識別情報である。
【００３７】
「化粧品ＩＤ」とは、肌用化粧品の識別情報であり、化粧品情報を特定可能な情報である。
【００３８】
「顔の状態の変化」とは、肌の乾燥、皮脂の分泌、汗の分泌、隈、皺、皮膚のたるみ、筋肉の緩み、筋肉の緊張、血色不良、および肌荒れのうち、少なくとも１つの強度の変化を含む。
【００３９】
「体調レベル」とは、体調の良否のレベルを示す値である。
【００４０】
＜メイクアップ支援装置の構成＞
次に、本実施の形態に係るメイクアップ支援装置の構成について説明する。
【００４１】
図２は、本実施の形態に係るメイクアップ支援装置の構成の一例を示すブロック図である。
【００４２】
図２において、メイクアップ支援装置１００は、撮影部２１０、画像取得部２２０、センサ情報取得部２３０、顔部品取得部２４０、体調テーブル格納部２５０、体調取得部２６０、メイク／スキンケアテーブル格納部２７０、メイク／スキンケア選択部２８０、メイク／スキンケア提示部２９０、および表示部３００を有する。
【００４３】
撮影部２１０は、例えばデジタルビデオカメラであり、メイク対象者の顔の映像を撮影する。そして、撮影部２１０は、撮影した映像を、画像取得部２２０へ出力する。映像は、時系列の複数の画像（フレーム画像）により構成される。なお、本実施の形態において、メイク対象者は、メイクアップ支援装置１００のユーザであるものとする。
【００４４】
画像取得部２２０は、入力された映像から、映像を構成する画像を順次取得する。そして、画像取得部２２０は、取得した画像を、顔部品取得部２４０およびメイク／スキンケア提示部２９０へ出力する。
【００４５】
センサ情報取得部２３０は、ユーザの体調情報を取得するために必要なセンサ情報を、各種センサ（図示せず）から取得する。そして、センサ情報取得部２３０は、取得したセンサ情報を、体調取得部２６０へ出力する。センサ情報の取得先は、例えば、睡眠計、体温計、身体活動量計、デジタルカメラを、およびタッチパネル等の情報入力装置である。
【００４６】
なお、本実施の形態において、センサ情報取得部２３０は、ユーザが使用する睡眠計および体温計（図示せず）と無線通信を行い、無線通信により、これらの機器から、センサ情報として睡眠時間および体温計を取得するものとする。
【００４７】
顔部品取得部２４０は、入力された画像から、顔の顔部品の領域を取得する。顔部品の領域の取得は、例えば、画像の各部分領域と、予め用意された各顔部品のテンプレート画像とのマッチングにより行われる（例えば、特許文献４参照）。そして、顔部品取得部２４０は、取得した顔部品の識別情報および領域を示す情報（以下「顔部品情報」という）を、メイク／スキンケア選択部２８０へ出力する。
【００４８】
体調テーブル格納部２５０は、体調テーブルを格納している。体調テーブルは、センサ情報の複数の内容と、複数の体調レベルと、の対応関係を記述したテーブルである。
【００４９】
図３は、体調テーブルの一例を示す図である。
【００５０】
図３に示すように、体調テーブル４１０は、睡眠時間４１１と体温４１２との組み合わせパターン毎に、体調レベル４１３を記述している。例えば、「４.５ｈ未満」という睡眠時間４１１と、「３７.５℃以上」という体温４１２との組み合わせに対しては、「１」という体調レベル４１３が対応付けられている。これは、睡眠時間が４.５ｈ未満であり、かつ、体温が３７.５℃以上である場合、「１」という体調レベルに相当することを示す。なお、本実施の形態において、体調レベルは、値が大きいほど体調がより良好であることを示すものとする。
【００５１】
図２のメイク／スキンケアテーブル格納部２７０は、メイク／スキンケアテーブルを格納している。メイク／スキンケアテーブルは、体調情報の複数の内容のそれぞれに対応付けて、人が当該体調種別に該当する場合に予測される顔の状態の変化に適した、メイク／スキンケアを記述したテーブルである。なお、本実施の形態において、体調情報の複数の内容とは、複数の体調レベルである。また、本実施の形態において、メイク／スキンケアテーブルは、取得され得る顔の顔特徴量と、その顔特徴量を有する顔に適切なメイクと、を更に対応付けている。
【００５２】
なお、本実施の形態では、予め、過去にメイクアップ技術者によってメイクが行われた不特定多数の顔の顔特徴量のサンプルに対して、主成分分析が行われているものとする。そして、主成分分析結果は、主成分値が1σ以上であるか否か等を判定基準とする公知の主成分層別法により、予めグルーピングされているものとする。そして、メイク／スキンケアテーブルには、顔特徴量のグループ毎に、そのグループにする顔に対して過去に行われたメイクが、登録されているものとする。
【００５３】
図４は、メイク／スキンケアテーブルの一例を示す図である。
【００５４】
図４に示すように、メイク／スキンケアテーブル４２０は、顔特徴量のグループ４２１と体調レベル４２２との組み合わせ毎に、メイク／スキンケアＩＤ４２３を記述している。例えば、「ＦＧ１」という顔特徴量のグループ４２１と、「１」という体調レベル４２２との組み合わせには、「ＦＭ１」というメイク／スキンケアＩＤ４２３が対応付けられている。これは、ユーザの顔の顔特徴量がＦＧ１であって、ユーザの体調レベルが１である場合、「ＦＭ１」というメイク／スキンケアＩＤが示すメイク／スキンケアが適切であるということを示す。
【００５５】
例えば、また、「ＦＭ３」というメイク／スキンケアＩＤ４２３が示すメイクに比べて、より低い体調レベルに対応する「ＦＭ１」というメイク／スキンケアＩＤ４２３が示すメイクのほうが、隈を隠すためのコンシーラの塗布量を、より多い量で指定する。「ＦＭ３」というメイク／スキンケアＩＤが示すスキンケアに比べて、より低い体調レベルに対応する「ＦＭ１」というメイク／スキンケアＩＤが示すスキンケアのほうが、化粧水の塗布量を、より多い量で指定する。
【００５６】
なお、メイク／スキンケアの流行の変化は速く、提示すべきメイク／スキンケアの変化も速い。このため、メイク／スキンケアテーブル４２０は、例えば、メイクアップ支援装置１００に備えられた通信回路（図示せず）を介して、インターネット上のサーバから定期的に更新されることが望ましい。
【００５７】
また、図２のメイク／スキンケアテーブル格納部２７０は、メイク／スキンケア情報テーブルおよび化粧品情報テーブルを格納している。メイク／スキンケア情報テーブルは、メイク／スキンケアテーブル４２０（図４参照）に記述されたメイク／スキンケアＩＤが示すメイク／スキンケアの、メイク／スキンケア情報を記述したテーブルである。化粧品情報テーブルは、メイク／スキンケア情報テーブルに記述されたメイク／スキンケア情報が示すメイク／スキンケアの、化粧品情報を記述したテーブルである。
【００５８】
図５は、メイク／スキンケアテーブル格納部２７０が格納するメイク／スキンケア情報テーブルの一例を示す図である。ここでは、スキンケアが、基礎化粧品の塗布の仕方である場合を例示する。
【００５９】
図５に示すように、メイク／スキンケア情報テーブル４３０は、例えば、メイク／スキンケアＩＤ４３１、メイク／スキンケア種別４３２、色４３３、濃度４３４、範囲４３５、塗布量４３６、および化粧品ＩＤ４３７を、対応付けて記述している。
【００６０】
メイク／スキンケアＩＤ４３１は、メイク／スキンケアテーブル４２０のメイク／スキンケアＩＤ４２３（図４参照）に対応している。メイク／スキンケア種別４３２は、ここでは簡略化して図示しているが、具体的には、「ファンデーション」、「アイシャドウ」、「口紅」、「チーク」、および「化粧水」等である。色４３３は、ここでは簡略化して図示しているが、具体的には、ＲＧＢ値および光沢度等である。濃度４３４は、ここでは簡略化して図示しているが、具体的には、顔の画像の上に重畳する際の透過度およびグラデーションの仕方等である。範囲４３５は、ここでは簡略化して図示しているが、具体的には、特徴点からの相対座標群、特徴点に対する中心点の相対位置と半径との組等である。
【００６１】
色４３３、濃度４３４、および範囲４３５の組は、少なくとも画像化に必要な情報を含む。すなわち、本実施の形態において、メイクについてのメイク／スキンケア情報は、少なくとも、顔の画像から、当該顔にメイクアップを施したときの画像を生成するために必要な情報を、含むものとする。
【００６２】
また、塗布量４３６は、基礎化粧品の塗布量を示す。塗布量４３６は、ここでは簡略化して図示しているが、例えば、「通常量」および「多め」等のテキスト情報である。
【００６３】
図６は、メイク／スキンケアテーブル格納部２７０が格納する化粧品情報テーブルの一例を示す図である。
【００６４】
図６に示すように、化粧品情報テーブル４４０は、化粧品ＩＤ４４１、会社ＩＤ４４２、および品番４４３を、対応付けて記述している。
【００６５】
化粧品ＩＤ４４１は、メイク／スキンケア情報テーブル４３０の化粧品ＩＤ４３７（図５参照）に対応している。会社ＩＤ４４２は、肌用化粧品の製造あるいは販売をする会社の名称あるいは識別子である。品番４４３は、肌用化粧品の品番である。
【００６６】
なお、図４〜図６に示すメイク／スキンケアテーブル４２０、メイク／スキンケア情報テーブル４３０、および化粧品情報テーブル４４０は、１つのテーブルに統合されていてもよい。
【００６７】
図２のメイク／スキンケア選択部２８０は、顔の顔特徴量を取得する。なお、メイク／スキンケア選択部２８０は、顔特徴量を、顔部品取得部２４０から入力された顔部品情報から取得してもよいし、画像取得部２２０が取得した画像を解析することにより画像から取得してもよい。そして、メイク／スキンケア選択部２８０は、取得した顔特徴量と、入力された体調レベルとに基づき、メイク／スキンケアテーブル４２０（図４参照）およびメイク／スキンケア情報テーブル４３０（図５参照）を参照して、顔部品毎に、メイク／スキンケア情報を選択する。すなわち、メイク／スキンケア選択部２８０は、取得された顔特徴量および体調情報に基づいて、メイク／スキンケアを選択する。そして、メイク／スキンケア選択部２８０は、選択したメイク／スキンケア情報を、メイク／スキンケア提示部２９０へ出力する。
【００６８】
なお、上述の通り、メイク／スキンケアテーブル４２０には、顔特徴量のグループ毎に、メイク／スキンケアＩＤ４２３が登録されている。したがって、メイク／スキンケア選択部２８０は、顔から取得された顔特徴量が、メイク／スキンケアテーブル４２０に登録された顔特徴量のグループ４２１のいずれに属するかを判定し、判定された顔特徴量のグループ４２１に対応するメイク／スキンケアＩＤ４２３を選択する。この判定は、例えば、取得された顔特徴量と各グループの代表値（セントロイド）との距離を算出することにより行われる。
【００６９】
また、メイク／スキンケア選択部２８０は、化粧品情報テーブル４４０（図６参照）を参照して、顔部品毎に選択したメイクの化粧品情報を取得すると共に、選択したスキンケアの化粧品情報を取得する。そして、メイク／スキンケア選択部２８０は、取得した化粧品情報を、メイク／スキンケア情報と対応付けて、メイク／スキンケア提示部２９０へ出力する。
【００７０】
メイク／スキンケア提示部２９０は、メイクアップ／肌対策を行うユーザに対して、選択されたメイク／スキンケアを提示する。より具体的には、メイク／スキンケア提示部２９０は、入力された画像、メイク／スキンケア情報に基づいて、シミュレーション画像を生成し、生成したシミュレーション画像を、表示部３００に出力する。ここで、シミュレーション画像は、入力（撮影）された画像に、顔に対して選択されたメイクを適用したときの画像を、重畳して得られる画像である。
【００７１】
なお、画像の重畳は、例えば、アルファ（α）ブレンド処理等の公知の画像合成処理により行われる。この場合、アルファ値（α）は、メイクの濃度に応じた値に設定される。アルファブレンド処理は、例えば、以下の式（１）〜（３）で表される。ここで、ｒ１、ｇ１、ｂ１は、撮影された画像の任意の領域のＲＧＢ値であり、ｒ２、ｇ２、ｂ２は、メイクのＲＧＢ値である。そして、Ｒ、Ｇ、Ｂは、シミュレーション画像の対応する領域のＲＧＢ値である。
Ｒ ＝ ｒ２×α＋ｒ１×（１−α）      ・・・（１）
Ｇ ＝ ｇ２×α＋ｇ１×（１−α）      ・・・（２）
Ｂ ＝ ｂ２×α＋ｂ１×（１−α）      ・・・（３）
【００７２】
また、メイクのそれぞれに、顔に重ねて塗布する場合の順序（以下「塗布順序」という）が設定されており、かつ、メイクを適用したときの画像が、濃度に応じた密度の網掛け画像であったとする。塗布順序は、例えば、チークの塗布が、ファンデーションの塗布の後にすべきものであるということを規定する。この場合、画像の重畳は、撮影された画像に対して、各メイクの画像を、塗布順序に応じた順序で上塗り処理することにより、行われてもよい。
【００７３】
また、メイク／スキンケア提示部２９０は、画像取得部２２０から取得した映像を構成する画像毎に、順次、一旦選択されたメイクを用いて、シミュレーション画像を生成して表示部３００に出力する（表示させる）。すなわち、メイク／スキンケア提示部２９０は、１つの映像に対して、一旦選択されたメイクを維持して提示する。
【００７４】
また、メイク／スキンケア提示部２９０は、選択されたスキンケアのメイク／スキンケア情報と、選択されたメイク／スキンケアの化粧品情報とを、更に提示する。より具体的には、メイク／スキンケア提示部２９０は、上記シミュレーション画像に、入力された化粧品情報およびスキンケアのメイク／スキンケア情報を示す画像あるいはテキストを、重畳あるいは追加する。
【００７５】
表示部３００は、例えば、タッチパネル付きディスプレイのディスプレイ部分であり、メイクアップ支援装置１００のユーザに対して、入力されたシミュレーション画像、スキンケアのメイク／スキンケア情報、および化粧品情報を表示（提示）する。
【００７６】
なお、メイクアップ支援装置１００は、図示しないが、例えば、ＣＰＵ、制御プログラムを格納したＲＯＭ等の記憶媒体、およびＲＡＭ等の作業用メモリを有する。この場合、上記した各部の機能は、ＣＰＵが制御プログラムを実行することにより実現される。
【００７７】
このようなメイクアップ支援装置１００は、ユーザに対して、ユーザの体調を考慮して選択されたメイク／スキンケアを、提示することができる。顔の状態の変化の度合いは、その人の体調に大きく影響される（例えば、非特許文献１参照）。したがって、ユーザの体調を考慮してメイク／スキンケアを選択することにより、時間経過後の顔の状態により適したメイク／スキンケアを提示することが可能となる。
【００７８】
＜メイクアップ支援装置の動作＞
次に、メイクアップ支援装置１００の動作について説明する。
【００７９】
図７は、メイクアップ支援装置１００の動作の一例を示すフローチャートである。
【００８０】
まず、ステップＳ１１００において、センタ情報取得部２３０は、ユーザの睡眠時間および体温を、センサ情報として取得する。
【００８１】
そして、ステップＳ１２００において、体調取得部２６０は、取得されたセンサ情報に基づいて、ユーザの体調レベルを取得する。
【００８２】
そして、ステップＳ１３００において、撮影部２１０は、ユーザの顔の映像の撮影を開始し、画像取得部２２０は、撮影された映像を構成する画像の取得を開始する。また、顔部品取得部は、画像に含まれる顔の顔部品の取得を開始する。
【００８３】
この際、顔部品取得部２４０は、例えば、画像５１０（図８参照）を解析することにより、画像５１０から顔の（顔部品の）特徴点を抽出する。そして、顔部品取得部２４０は、同一の顔部品を構成する特徴点により形成される領域を、顔部品の領域として取得する。そして、顔部品取得部２４０は、取得した顔部品の領域から、顔部品情報を生成する。
【００８４】
図８は、図７のステップＳ１３００において取得される、画像の一例を示す図である。
【００８５】
図８に示すように、画像５１０は、ユーザの顔の画像（以下「顔画像」という）５１１を含む。ユーザは、メイクアップをしていない状態である。
【００８６】
また、ここで、ユーザは、８時間の睡眠を取り、３６.５度の体温であって、体調が良好な状態にあるものとする。
【００８７】
図９は、図７のステップＳ１３００において抽出される、顔の特徴点の配置の一例を示す図である。
【００８８】
図９に示すように、顔画像５１１からは、複数の特徴点（記号「●」で示す）が抽出される。例えば、第１〜第４の特徴点５２１〜５２４は、右目を構成する。したがって、顔部品取得部２４０は、第１〜第４の特徴点５２１〜５２４により囲まれる領域５２５を、右目の領域として取得する。
【００８９】
図１０は、図７のステップＳ１３００において生成される、顔部品情報の一例を示す図である。
【００９０】
図１０に示すように、顔部品情報５３０は、例えば、顔部品ＩＤ５３１毎に、領域５３２および人ＩＤ５３３を記述している。顔部品ＩＤ５３１は、左目、上唇等の、顔部品の識別情報である。領域５３２は、画像における顔部品の領域の範囲を示す情報であり、例えば、画像上に設定された座標系の座標値リストである。人ＩＤ５３３は、人の識別情報である。人ＩＤ５３３は、例えば、撮影が開始される毎に、タッチパネル付きディスプレイに対する操作等を介してユーザにより指定された値が、設定される。
【００９１】
そして、図７のステップＳ１４００において、メイク／スキンケア選択部２８０は、顔特徴量を取得する。顔特徴量は、上述の通り、顔の特徴を示す所定のパラメータについての多変量データである。メイク／スキンケア選択部２８０は、例えば、画像５１０（図８参照）、顔の特徴点群（図９参照）、および、顔部品情報（図１０参照）のいずれかから、顔特徴量を取得する。そして、メイク／スキンケア選択部２８０は、取得された顔特徴量および体調レベルに基づいて、メイク／スキンケアを選択する。
【００９２】
そして、ステップＳ１５００において、メイク／スキンケア提示部２９０は、メイクに関するメイク／スキンケア情報に基づいて、シミュレーション画像を生成し、表示部３００に表示させる。この際、メイク／スキンケア提示部２９０は、スキンケアに関するメイク／スキンケア情報、および、メイク／スキンケアの化粧品情報についても、表示部３００に表示させる。
【００９３】
図１１は、図７のステップＳ１５００において生成される、シミュレーション画像の一例を示す図である。
【００９４】
図１１に示すように、シミュレーション画像５４０は、顔画像５１１に、アイブロウ、アイシャドウ、アイライナー、チーク、および口紅といった、メイクの画像５４１〜５４５を重畳した画像となっている。
【００９５】
また、シミュレーション画像５４０には、スキンケアのメイク／スキンケア情報と、メイク／スキンケアの化粧品情報とを示す、情報表示エリア５４６が追加されている。すなわち、シミュレーション画像５４０には、スキンケアの内容と、選択されたメイクを適用するのに必要な肌用化粧品の化粧品情報とが、併せて表示される。
【００９６】
なお、情報表示エリア５４６に表示されるテキストは、予めメイク／スキンケア情報テーブル４３０（図５参照）あるいは化粧品情報テーブル４４０(図６参照)に登録されていてもよい。あるいは、情報表示エリア５４６に表示されるテキストは、メイク／スキンケア提示部２９０が、メイク女王および化粧品情報に基づいて生成してもよい。
【００９７】
ユーザは、表示されているシミュレーション画像５４０が示すメイクや、提示されたスキンケアを気に入った場合、表示された化粧品情報に基づいて必要な肌用化粧品を入手し、実際のメイクアップを容易に行うことができる。
【００９８】
そして、ステップＳ１６００において、画像取得部２２０は、映像の入力が継続しているか否かを判断する。画像取得部２２０は、映像の入力が継続している場合（Ｓ１６００：ＹＥＳ）、ステップＳ１５００へ戻り、次の画像に処理を移す。また、画像取得部２２０は、映像の入力が終了した場合（Ｓ１６００：ＮＯ）、一連の処理を終了する。
【００９９】
以上のような動作により、メイクアップ支援装置１００は、映像に追従して、メイクを対応する領域に対応付けて、ユーザに提示することができる。したがって、ユーザは、顔の向きや表情を変化させながら、メイクアップの効果を確認することができ、あたかも実際にメイクアップを行った状態を鏡に映して見ているかのような体験をすることができる。
【０１００】
ユーザの体調が良好な状態にある場合、ある程度の時間が経過した後においても、ユーザの顔の状態は、図８に示すような良好な状態が維持される。ところが、ユーザの体調があまり良好ではない場合、顔の状態は、変化し易く、時間が経過すると、メイクシミュレーションを行ったときとは異なった状態と成り得る。
【０１０１】
図１２は、ユーザの体調が良好ではない場合の、時間経過後の顔の状態の一例を示す図である。これは、例えば、ユーザが、４時間しか睡眠を取っていない場合である。
【０１０２】
図１２に示すように、ユーザの顔５５１ａの両目の下には、濃い隈５５２ａが現れる。したがって、ユーザの体調が良好ではない場合、このような隈５５２ａを隠すようなメイクが、予め施されることが望ましい。
【０１０３】
そこで、本実施の形態に係るメイクアップ支援装置１００は、上述の通り、体調情報に基づいて、体調に基づく顔状態の変化に適したメイク／スキンケアを提案する。
【０１０４】
図１３は、４時間しか睡眠を取っていないユーザに対して提示される、シミュレーション画像の例を示す図である。
【０１０５】
図１３に示すように、シミュレーション画像５４０ａは、図１１と同様のメイクの画像５４１〜５４５に加えて、隈を隠すためのコンシーラの塗布を示す画像５４７ａを重畳した画像となる。また、情報表示エリア５４６ａには、コンシーラの化粧品情報と、肌が通常よりも乾燥し易いことを考慮した肌用化粧品の化粧品情報とが、表示される。
【０１０６】
このような、顔状態の変化に適したメイク／スキンケアを提案することにより、例えば、ユーザの顔が図８に示す状態から図１２に示す状態に変化したとしても、図１１に示すような審美性に優れた外見を維持することが可能となる。
【０１０７】
なお、メイクシミュレーション時にコンシーラの画像のみを表示しても、コンシーラの位置および濃度は視認しにくい。このため、シミュレーション画像５４０ａは、塗布領域を点線等で示したり、塗布量をテキスト表示することが望ましい。
【０１０８】
＜本実施の形態の効果＞
以上のように、本実施の形態に係るメイクアップ支援装置１００は、ユーザに対して、体調情報に基づいて選択されたメイク／スキンケアを、提示する。これにより、メイクアップ支援装置１００は、メイクアップ／肌対策の支援を、より適切に行うことができる。
【０１０９】
＜体調レベルの提示＞
なお、メイクアップ支援装置１００は、メイク／スキンケアと併せて、上述の体調レベルや、体調情報から推定される時間経過後の顔の変化を、ユーザに対して提示してもよい。これにより、ユーザは、自己の体調の良し悪しを客観的に把握したり、自己の顔の変化を予め知ることができる。
【０１１０】
＜メイクの選択肢＞
また、メイクアップ支援装置１００は、顔特徴量および体調情報から１つのメイクを選択したが、これに限定されない。例えば、メイクアップ支援装置１００は、複数のメイクを選択肢として提示し、選択されたメイクを、メイク／スキンケア提示部２９０による提示の対象としてもよい。
【０１１１】
この場合、例えば、メイクアップ支援装置１００は、メイク／スキンケア選択部２８０において、複数のメイクを選択し、選択した複数のメイクの識別情報を、表示部３００に表示させる。そして、メイクアップ支援装置１００は、タッチパネル付きディスプレイに対する操作等を介してユーザにより選択されたメイクのメイク／スキンケア情報を、メイク／スキンケア選択部２８０からメイク／スキンケア提示部２９０へと出力する。この場合、メイクアップ支援装置１００は、任意のタイミングで、提示の対象となるメイクの切り替えを、ユーザから受け付けることが望ましい。これにより、ユーザは、複数のメイクの中から、適切かつユーザの好みに合ったメイクを、迅速に判断することができる。
【０１１２】
＜他のメイクの選択手法＞
また、どのような体調情報からどのようなメイク／スキンケアを選択するかについては、上述の例に限定されない。
【０１１３】
例えば、メイクアップ支援装置１００は、体調情報に関する複数種類のパラメータ毎に、メイク／スキンケアを対応付けたテーブルを格納しておき、パラメータの種別毎にメイク／スキンケアを選択してもよい。例えば、メイクアップ支援装置１００は、目の下の隈を隠すためのコンシーラを用いたメイクを、睡眠時間のみに基づいて選択し、美容液を用いたスキンケアを、体温のみに基づいて選択する。
【０１１４】
また、メイクアップ支援装置１００のメイク／スキンケアの選択手法としては、上述の例を含め、例えば、以下のものが挙げられる。
（１）体温が閾値以上である場合、感想を防ぐ保湿性の高い化粧品を選択。
（２）月経中である場合、低刺激性の化粧品を選択。
（３）睡眠時間等から推定される快眠度が低い場合や、活動量が低い場合、コンシーラや血色が良く見えるメイクカラーや、顔のマッサージを選択。
（４）瞼の開度（上下幅の、通常状態に対する割合）および瞬目頻度から推定される目の疲労度が閾値以上である場合、目元が明るくなるメイクや、目元のマッサージを選択。
【０１１５】
また、例えば、メイクアップ支援装置１００は、他の各種家電機器と無線通信を行い、体調情報の取得を、他の各種家電機器と連動して行うようにしてもよい。例えば、メイクアップ支援装置１００は、電子レンジなどで調理された料理を示すデータから、ユーザの体調変化を推定し、ユーザの体調に適したメイク／スキンケアを選択する。具体的には、例えば、メイクアップ支援装置１００は、脂質の多い料理が摂取された場合、皮脂分泌の増加を前提としたメイク／スキンケアの選択を行う。具体的には、例えば、メイクアップ支援装置１００は、リキッドファンデーションではなくパウダーファンデーションを選択したり、油分の多い乳液を選択せずに水分が多めの化粧水を選択する。
【０１１６】
また、メイクアップ支援装置１００は、顔特徴量以外のパラメータに基づいて、提示の対象となるメイクを選択してもよい。例えば、メイクアップ支援装置１００は、インターネット上の不特定多数のユーザの評価等、外部での評価が高いメイクを、優先的に選択してもよい。また、例えば、メイクアップ支援装置１００は、ユーザの年齢や居住地域に基づいて、メイクを選択してもよい。
【０１１７】
＜化粧品情報の応用＞
また、メイクアップ支援装置１００は、表示する化粧品情報に、肌用化粧品を購入することができるウェブサイトへのリンク情報を対応付けておいてもよい。この場合、メイクアップ支援装置１００は、ユーザがメイクに対する決定操作を行ったとき、インターネットを介して、対応するウェブサイトを表示させることが可能となり、メイクアップを更に効果的に支援することができる。また、化粧品会社に対しては、化粧品の販売を促進させることができる。
【０１１８】
＜他の提示内容＞
また、メイクアップ支援装置１００は、全てのメイクアップが行われた後の顔のシミュレーション画像ではなく、メイクアップ途中の顔のシミュレーション画像を生成して表示してもよい。また、メイクアップ支援装置１００は、上述のように、各メイクに塗布順序が設定されている場合、この塗布順序に従って、メイクアップ途中の顔のシミュレーション画像を順次生成して表示してもよい。これにより、メイクアップ支援装置１００は、ユーザに対して、適切なメイクアップの順序を提示することができる。
【０１１９】
また、メイクアップ支援装置１００は、選択したメイクの領域との対応付け、および、選択したメイクの色および濃度を、テキストによって提示してもよい。このテキストは、例えば、「両頬骨の最も高い位置を中心にした直径約４ｃｍの範囲に、Ｂ１社の品番ｂ５５のチークを、濃い目に塗布して下さい。」、「両目の下の幅１ｃｍの範囲に、Ｂ２社の品番７８のコンシーラを、薄目に塗布して下さい。」という内容である。ユーザによっては、テキスト情報のみからでもメイクアップが行われた顔をイメージすることができる。このようなユーザに対しては、このような提示手法によっても、メイクアップを十分に支援することが可能である。
【０１２０】
＜他の提示手法＞
また、メイクアップ支援装置１００は、シミュレーション画像の表示以外の手法で、メイク／スキンケアの提示を行ってもよい。
【０１２１】
例えば、メイクアップ支援装置１００は、肌用化粧品の化粧剤を所定の薄膜（紙状媒体）に転写するプリンタに接続される。かかる薄膜は、転写された化粧剤を剥離容易に担持する。このため、薄膜上の化粧剤は、肌に押し付けられことにより、肌に容易に転写されるようになっている。
【０１２２】
そして、メイクアップ支援装置１００は、メイク／スキンケア提示部２９０において、撮影された顔の実空間における領域と同じ形状および面積を薄膜に設定し、メイクを対応する領域に転写するように、プリンタに指示する。なお、薄膜は、平面状であっても、立体状であってもよい。
【０１２３】
これにより、メイクアップ支援装置１００は、メイクを、薄膜上で、それぞれに対応する領域に対応付けて、ユーザに提示することができる。
【０１２４】
ユーザは、この薄膜に印刷された左右の目尻を示す点を、ユーザの左右の目尻に合わせた状態で、薄膜の全体を顔に押し付けることにより、シミュレーション画像に基づいて選択したメイクを実際に行うことができる。すなわち、ユーザは、顔部品毎に化粧剤を塗るといった作業を行うことなく、簡単かつ迅速に、所望のメイクを行うことができる。
【０１２５】
＜その他の構成の変形例＞
また、上述の各種テーブルは、必ずしもメイクアップ支援装置１００に格納されていなくてもよい。例えば、メイクアップ支援装置１００がネットワークに接続可能である場合、メイクアップ支援装置１００は、上記テーブルが格納されたネットワーク上のサーバにアクセスして、メイク／スキンケアを選択すればよい。
【０１２６】
また、メイクアップ支援装置１００は、例えば、図２に示す機能部のうち、撮影部２１０および表示部３００のみをユーザの所持する端末に配置し、他の装置部をネットワーク上のサーバ上に配置する等、分散配置型のシステムであってもよい。
【０１２７】
また、体調取得部２６０は、外光を検出し、画像から、外光の影響を軽減した状態で、顔特徴量の取得を行うようにしてもよい。
【０１２８】
また、メイク／スキンケアの具体的内容は、上述の例に限定されない。例えば、提示の対象となるメイクには、マスカラの仕方、リップグロスの仕方等が含まれる。また、提示の対象となるスキンケアには、顔のマッサージの仕方、食生活の仕方等が含まれる。
【０１２９】
また、メイクアップ支援装置１００は、他の各種家電機器と無線通信を行い、スキンケアの提示を、他の各種家電機器と連動して行うようにしてもよい。
【０１３０】
例えば、メイクアップ支援装置１００は、冷蔵庫と連携し、ユーザの体調情報に基づいて、冷蔵庫にある食品の中からユーザの体調あるいは顔の状態を改善するような食品を選択する。そして、メイクアップ支援装置１００は、選択した食品の摂取を促すメッセージを、ユーザに対して提示する。
【０１３１】
また、例えば、メイクアップ支援装置１００は、エアコンと連携し、ユーザの体調情報に基づいて、ユーザの体調あるいは顔の状態を改善するような環境を、目標の環境として設定する。そして、メイクアップ支援装置１００は、室内が目標の環境に近づくように、エアコンの運転を制御する。
【０１３２】
また、例えば、メイクアップ支援装置１００は、ＡＶ（Audio Video）機器と連携し、ユーザの体調状態に基づいて、ユーザの体調あるいは顔の状態を改善するような情報を提供するテレビ番組を選択する。そして、メイクアップ支援装置１００は、選択したテレビ番組の表示あるいは録画がされるように、録画機器を制御する。
【０１３３】
また、例えば、メイクアップ支援装置１００は、スチーマーあるいは美顔器等のスキンケア機器と接続され、メイク／スキンケア提示部２９０において、上記スキンケア機器の使用方法等の機器情報を、ユーザに提示する。なお、この場合、メイク／スキンケア提示部２９０は、例えば、接続された機器と通信を行い、当該機器から機器情報を取得してもよいし、当該機器から識別情報のみ取得してインターネットから対応する機器情報を取得してもよい。
【０１３４】
本開示のメイクアップ支援装置は、メイクアップ／肌対策を行う対象となる人の体調に関する、体調情報を取得する体調取得部と、取得された前記体調情報に基づいて、前記メイクアップの仕方であるメイク／前記肌対策の仕方であるスキンケアを選択するメイク／スキンケア選択部と、前記メイクアップ／前記肌対策を行うユーザに対して、選択された前記メイク／前記スキンケアを提示するメイク／スキンケア提示部と、を有する。
【０１３５】
なお、上記メイクアップ支援装置は、体調情報の複数の内容のそれぞれに対応付けて、前記人が当該体調種別に該当する場合に予測される前記人の顔の状態の変化に適した前記メイク／前記スキンケアを記述した、メイク／スキンケアテーブルを格納するメイク／スキンケアテーブル格納部、を更に有し、前記メイク／スキンケア選択部は、前記メイク／スキンケアテーブルを参照して、取得された前記体調情報の内容に対応する前記メイク／前記スキンケアを選択してもよい。
【０１３６】
また、上記メイクアップ支援装置は、前記人の顔を撮影した画像を取得する画像取得部と、前記画像から、前記顔の顔部品の領域を取得する顔部品取得部と、を更に有し、前記メイク／スキンケア選択部は、前記顔部品毎に、前記メイクを選択し、前記メイク／スキンケア提示部は、前記顔部品の領域に基づいて、前記画像に、前記顔に対して前記メイクを適用したときの前記メイクの状態を示す画像を重畳して得られるシミュレーション画像を生成し、生成した前記シミュレーション画像を提示してもよい。
【０１３７】
また、上記メイクアップ支援装置において、前記体調情報は、睡眠時間、体温、身体活動量、瞼の開度、瞬目頻度、月経周期における時期、血圧、および肌状態のうち、少なくとも１つに関する情報であってもよい。
【０１３８】
また、上記メイクアップ支援装置において、前記体調の複数の内容は、体調の良否のレベルに対応する複数の体調レベルであり、睡眠時間、体温、身体活動量、瞼の開度、瞬目頻度、月経周期における時期、血圧、および肌状態のうち、少なくとも１つを、センサ情報として取得するセンサ情報取得部と、前記センサ情報の複数の内容と、前記複数の体調レベルと、の対応関係を記述した体調テーブルを格納する体調テーブル格納部と、を更に有し、前記体調取得部は、前記体調テーブルを参照して、取得された前記センサ情報に対応する前記体調レベルを取得してもよい。
【０１３９】
また、上記メイクアップ支援装置において、前記顔の状態の変化は、肌の乾燥、皮脂の分泌、汗の分泌、隈、皺、皮膚のたるみ、筋肉の緩み、筋肉の緊張、血色不良、および肌荒れのうち、少なくとも１つの強度の変化を含んでもよい。
【０１４０】
また、上記メイクアップ支援装置において、前記顔の映像を撮影する撮影部と、前記ユーザに対して前記シミュレーション画像を表示する表示部と、を更に有し、前記画像取得部は、前記映像を構成する画像を取得し、前記メイク／スキンケア提示部は、前記映像に対して一旦選択された前記メイクを維持しつつ、前記映像を構成する前記画像毎に、順次、前記シミュレーション画像を生成して前記表示部に表示させてもよい。
【０１４１】
また、上記メイクアップ支援装置において、前記メイク／スキンケアテーブルは、取得され得る前記顔の顔特徴量と、前記メイクと、を更に対応付けており、前記メイク／スキンケア選択部は、前記顔の顔特徴量を取得し、前記メイク／スキンケアテーブルを参照して、取得された前記顔特徴量に対応する前記メイクを選択してもよい。
【０１４２】
本開示のメイクアップ支援方法は、メイクアップ／肌対策を行う対象となる人の体調に関する、体調情報を取得するステップと、取得された前記体調情報に基づいて、前記メイクアップの仕方であるメイク／前記肌対策の仕方であるスキンケアを選択するステップと、前記メイクアップ／前記肌対策を行うユーザに対して、選択された前記メイク／前記スキンケアを提示するステップと、を有してもよい。
【０１４３】
本開示のメイクアップ支援プログラムは、コンピュータに、メイクアップ／肌対策を行う対象となる人の体調に関する、体調情報を取得する処理と、取得された前記体調情報に基づいて、前記メイクアップの仕方であるメイク／前記肌対策の仕方であるスキンケアを選択する処理と、前記メイクアップ／前記肌対策を行うユーザに対して、選択された前記メイク／前記スキンケアを提示する処理と、を実行させる。
【産業上の利用可能性】
【０１４４】
本発明は、メイクアップ／肌対策の支援をより適切に行うことができる、メイクアップ支援装置、メイクアップ支援方法、およびメイクアップ支援プログラムとして有用である。
【符号の説明】
【０１４５】
１００  メイクアップ支援装置
２１０  撮影部
２２０  画像取得部
２３０  センサ情報取得部
２４０  顔部品取得部
２５０  体調テーブル格納部
２６０  体調取得部
２７０  メイク／スキンケアテーブル格納部
２８０  メイク／スキンケア選択部
２９０  メイク／スキンケア提示部
３００  表示部
【図１】
2014166218.tif 000003
【図２】
2014166218.tif 000004
【図３】
2014166218.tif 000005
【図４】
2014166218.tif 000006
【図５】
2014166218.tif 000007
【図６】
2014166218.tif 000008
【図７】
2014166218.tif 000009
【図８】
2014166218.tif 000010
【図９】
2014166218.tif 000011
【図１０】
2014166218.tif 000012
【図１１】
2014166218.tif 000013
【図１２】
2014166218.tif 000014
【図１３】
2014166218.tif 000015